(57)【要約】【課題】  開封作業を容易に行えるように構成され、また、透析用剤の投入作業の自動化を図って自動溶解装置に菌や汚れが混入する不都合を防止することができ、さらに、使用後の容積を容易に減らすことができる袋式の透析用剤収納容器を提供する。【解決手段】  可撓性シート材からなり、内部に透析用剤を収納可能である横長な袋体２と、該袋体２の両端に設けられた支持部３と、袋体２の下部のうち長手方向の中間に袋体２の幅方向に沿って形成された脆弱部５とを備えた透析用剤収納容器１であって、支持部３を支持した状態で、袋体２の上部のうち脆弱部５とは反対側の部分を押圧して脆弱部５を破断し、破断した脆弱部５の開口部分が透析用剤の排出口となるように構成した。【選択図】  図１
2006198294.tif 000002
【特許請求の範囲】
【請求項１】
可撓性シート材からなり、内部に透析用剤を収納可能である横長な袋体と、該袋体の両端に設けられた支持部と、袋体の長手方向の中間部下面に袋体の幅方向に形成された脆弱部とを備え、
前記支持部を支持した状態で、袋体の上部のうち脆弱部とは反対側の部分を押圧して脆弱部を破断し、破断した脆弱部の開口部分が透析用剤の排出口となるように構成されたことを特徴とする透析用剤収納容器。
【請求項２】
防湿性を有する可撓性シート材からなる保護部材を、前記脆弱部を覆う状態で再剥離可能に貼付したことを特徴とする請求項１に記載の透析用剤収納容器。
【請求項３】
前記脆弱部は、シート材の肉厚の途中まで切り込まれたスリットまたは肉厚に亘って切り込まれたスリットを袋体の幅方向に形成して構成されたことを特徴とする請求項１または請求項２に記載の透析用剤収納容器。
【請求項４】
前記支持部は、上下方向に貫通した係合孔を開設して構成されたことを特徴とする請求項１から請求項３のいずれかに記載の透析用剤収納容器。
【発明の詳細な説明】
【技術分野】
【０００１】
本発明は、人工透析に用いる透析液の調製に使用される粉末状或いは顆粒状とした固体透析用剤などの透析用剤を収納する袋状の容器に関する。
【背景技術】
【０００２】
透析用剤には、液体型と固体型の２種類の型がある。液体型の透析用剤は、その大部分が水で占められており、重量と容量が大きくなるため、透析医療従事者への運搬作業の負荷が大きく、保管スペースも大きくなってしまう。そのため、近年、透析液を使用する際に、自動溶解装置に投入して、水に溶解させて透析液を調製する固体型の透析用剤（以下、固体透析用剤という）が急速に普及している。この固体透析用剤を収納する容器は、現在、袋式とボトル式がある。
【特許文献１】特開２００１−３４０４４７号公報
【発明の開示】
【発明が解決しようとする課題】
【０００３】
袋式の透析用剤収納容器は、点滴用液の容器と同様に、可撓性を有するシート材で袋体に構成されているので、使用後の嵩高を減少させることができる利点がある。しかし、透析医療従事者が一袋ずつ手作業で開封し、自動溶解装置に投入して、透析液の調製をしているので、人為ミスによる数量違いの危険性がある。また、自動溶解装置投入時に、袋に付着したゴミや雑菌、人間の毛髪等の異物が混入する危険性も高いという問題がある。さらに、投入時の発塵により自動溶解装置の周辺が汚染したり、自動溶解装置が誤動作したりするなどの問題もある。
【０００４】
一方、ボトル式透析用剤収納容器は、自動溶解装置にセットすれば、全自動で透析液の調製が可能となり、数量違いや異物混入の危険性は袋式に比べて低い。しかし、ボトルは、袋式に比べて剛性の高い材料で構成されているので、使用後空になっても、つぶして容量を小さくし難く、ゴミとして処分する際に嵩張るという問題がある。
【０００５】
本発明は上記した事情に鑑みなされたもので、その目的は、開封作業を容易に行えるように構成され、また、透析用剤の投入作業の自動化を図って自動溶解装置に菌や汚れが混入する不都合を防止することができ、さらに、使用後の容積を容易に減らすことができる袋式の透析用剤収納容器を提供しようとするものである。
【課題を解決するための手段】
【０００６】
本発明は、上記目的を達成するために提案されたものであり、請求項１に記載のものは、可撓性シート材からなり、内部に透析用剤を収納可能である横長な袋体と、該袋体の両端に設けられた支持部と、袋体の長手方向の中間部下面に袋体の幅方向に形成された脆弱部とを備え、
前記支持部を支持した状態で、袋体の上部のうち脆弱部とは反対側の部分を押圧して脆弱部を破断し、破断した脆弱部の開口部分が透析用剤の排出口となるように構成されたことを特徴とする透析用剤収納容器である。
【０００７】
請求項２に記載のものは、防湿性を有する可撓性シート材からなる保護部材を、前記脆弱部を覆う状態で再剥離可能に貼付したことを特徴とする請求項１に記載の透析用剤収納容器である。
【０００８】
請求項３に記載のものは、前記脆弱部は、シート材の肉厚の途中まで切り込まれたスリットまたは肉厚に亘って切り込まれたスリットを袋体の幅方向に形成して構成されたことを特徴とする請求項１または請求項２に記載の透析用剤収納容器である。
【０００９】
請求項４に記載のものは、前記支持部は、上下方向に貫通した係合孔を開設して構成されたことを特徴とする請求項１から請求項３のいずれかに記載の透析用剤収納容器である。
【発明の効果】
【００１０】
本発明によれば、以下のような優れた効果を奏する。
請求項１に記載の発明によれば、可撓性シート材からなり、内部に透析用剤を収納可能である横長な袋体と、該袋体の両端に設けられた支持部と、袋体の長手方向の中間部下面に袋体の幅方向に形成された脆弱部とを備え、支持部を支持した状態で、袋体の上部のうち脆弱部とは反対側の部分を押圧して脆弱部を破断し、破断した脆弱部の開口部分が透析用剤の排出口となるように構成されたので、透析用剤収納容器を容易に開封することができ、自動溶解装置へ透析用剤を投入する作業の負担を軽減することができる。また、透析用剤の投入作業の自動化を実現し易くなり、人手による開封作業を省いてゴミや菌が透析用剤や自動溶解装置に混入する不都合や、透析用剤の投入時の発塵により作業者が透析用剤を吸い込んでしまうことを防ぐことができる。そして、空になった使用済みの容器は容易に減容でき、廃棄処理の容易化を図ることができる。
【００１１】
請求項２に記載の発明によれば、防湿性を有する可撓性シート材からなる保護部材を、脆弱部を覆う状態で再剥離可能に貼付したので、搬送中などにおいて袋体が破れて内部の透析用剤が漏れ出すこともなく、また、脆弱部から湿気が透過して内部の透析用剤が湿ってしまうこともない。
【００１２】
請求項３に記載の発明によれば、脆弱部は、シート材の肉厚の途中まで切り込まれたスリットまたは肉厚に亘って切り込まれたスリットを袋体の幅方向に形成して構成されたので、透析用剤収納容器を一層容易に開封し易くなり、透析用剤の投入作業の効率向上を図ることができる。
【００１３】
請求項４に記載の発明によれば、支持部は、上下方向に貫通した係合孔を開設して構成されたので、係合孔にフックを掛けて透析用剤収納容器を支持し、この状態で搬送することができ、また、透析用剤を排出した後に、空袋をフックと共に上下逆にするだけで落下させることができ、透析用剤収納容器の搬送から空袋の回収までの自動化を容易に実現することができる。
【発明を実施するための最良の形態】
【００１４】
以下、本発明の最良の実施形態を図面に基づいて説明する。図１は本発明に係る透析用剤収納容器の正面図、図２は底面図である。
袋式の透析用剤収納容器１は、可撓性シート材からなる横長な袋体２と、この袋体２の両端に設けられた支持部３とを備えて構成されている。
【００１５】
袋体２は、例えば酸化珪素やアルミナを蒸着したＰＥＴ（ポリエチレンテレフタレート）をラミネートし、防湿性、ガスバリア性に優れた可撓性のある合成樹脂シート材（フィルム材）を横長な筒状に形成したもので構成されており、内部に所定量の透析用剤を収納し、左右両端を溶着（あるいは融着）することで封止している。この左右両端には、自動溶解装置に支持するための支持部３を設けている。この支持部３は、袋体２の左右両端に厚肉な舌片状部材を設け、該舌片状部材に上下方向へ貫通する係合孔４を開設して構成されている。
なお、袋体２は、短冊形状を呈した２枚の可撓性シート材を上下に重ね合わせ、その前後側縁および左右両端を溶着（あるいは融着）して形成してもよい。また、本実施形態の袋体２は、直径１０ｃｍ、長さ６０ｃｍ〜７０ｃｍ程度のサイズで形成されているが、透析液の調製に使用する透析用剤の量に合わせて容量や各寸法を適宜設定することが好ましい。
【００１６】
また、袋体２の長手方向の中間部下面には、脆弱部５を袋体２の幅方向に形成している。この脆弱部５は、シート材の肉厚の途中まで切り込まれたスリットを袋体２の全幅に亘って形成して構成されている。さらに、脆弱部５の表面には、防湿性を有する可撓性シート材からなる保護部材６を貼付している。この保護部材６は、例えば酸化珪素やアルミナを蒸着したＰＥＴ（ポリエチレンテレフタレート）をラミネートし、防湿性、ガスバリア性に優れた可撓性のある合成樹脂シート材（フィルム材）からなる薄膜状のフィルムによって袋体２の幅よりも幅広な大きさで形成され、脆弱部５を覆う状態で再剥離可能に貼付されている。したがって、搬送中などにおいて袋体２が破れて内部の透析用剤が漏れ出すこともなく、また、脆弱部５から湿気が透過して内部の透析用剤が湿ってしまうこともない。なお、脆弱部５は、シート材の肉厚に亘って切り込まれたスリットを袋体２の全幅に亘って形成して構成してもよい。
【００１７】
そして、透析用剤は、ブドウ糖、塩化ナトリウム、塩化マグネシウム、炭酸水素ナトリウムなどの薬剤を粉末状あるいは顆粒状にしたものであり、透析用剤収納容器１の袋体２の内部に所定量が収納される。
【００１８】
次に、人工透析を行う病院で透析用剤収納容器１を使用する場合等の操作について説明する。まず、使用時、すなわち自動溶解装置（図示せず）に透析用剤を投入する場合には、袋体２から保護部材６を剥離して脆弱部５を露出させ、この脆弱部５を下に向けた状態で各係合孔４に自動溶解装置のフック８を下から挿通する。したがって、透析用剤収納容器１は、左右両端がフック８に支持される状態で自動溶解装置にセットされる。そして、セットされた透析用剤収納容器１は、フック８の移動により溶解槽９の上方の投入位置まで搬送され、溶解槽９の投入口１０の直上に脆弱部５を配置したところで停止する。透析用剤収納容器１が配置されたならば、上方から断面倒コ字状の防塵カバー１１を下降して透析用剤収納容器１の脆弱部５の幅方向の前方（図中紙面の表側）、後方（図中紙面の裏側）および上方を覆い、透析用剤収納容器１の開封時に透析用剤が溶解槽９の外へ舞い散らないように準備する。なお、防塵カバー１１は、投入口１０よりも小さく、その上部には後述する押圧部材１２が上下方向に挿通可能な挿通開口１３が開設されている。
【００１９】
次に、透析用剤収納容器１の上方から押圧部材１２が下降し、この押圧部材１２の先端部が防塵カバー１１の挿通開口１３を通って、袋体２のうち脆弱部５とは反対側の表面（図中上面）を下方へ押圧する（図３参照）。また、フック８が左右外側へ僅かに移動して透析用剤収納容器１に長手方向の引張力を与え、この状態で上方へ徐々に移動する。すると、透析用剤収納容器１が浅いＶ字状に曲げられ（図４参照）、下面の脆弱部５に応力が集中する。引き続き、押圧部材１２で透析用剤収納容器１を押圧しながらフック８を上昇させると、脆弱部５が破断し、破断した脆弱部５の開口部分が透析用剤の排出口となって、袋体２内の透析用剤が溶解槽９の投入口１０へ投入される。このとき、袋体２の上面には脆弱部５が形成されていないので、透析用剤収納容器１は左右に分離することがない。そして、フック８を更に上方へ移動して透析用剤収納容器１の左右両側の傾斜角度を大きくすると、袋体２内の透析用剤がすべて流下し、溶解槽９へ投入される。
【００２０】
このように、透析用剤収納容器１を容易に開封することができ、自動溶解装置へ透析用剤を投入する作業の負担を軽減することができる。また、透析用剤の投入作業の自動化を実現し易くなり、人手による開封作業を省いてゴミや菌が透析用剤や自動溶解装置に混入する不都合や、透析用剤の投入時の発塵により作業者が透析用剤を吸い込んでしまうことを防ぐことができる。さらに、脆弱部５をシート材の肉厚の途中まで切り込まれたスリットで構成したので、透析用剤収納容器１を一層容易に開封し易くなり、透析用剤の投入作業の効率向上を図ることができる。
なお、自動溶解装置の押圧部材１２は、先端部に形成された押圧面を袋体２の表面に合わせて凹状曲面で形成し、押圧面と袋体２の表面とが広い面積で密着できるように構成すれば、押圧時に袋体２の上部に集中荷重が加わることがない。したがって、袋体２の上部が破れて透析用剤が上方へ飛び散ったり、押圧部材１２が透析用剤で汚れたりすることがなくて好適である。
また、透析用剤の排出口となる脆弱部５と押圧部材１２で押圧される袋体２の部分とが離れているので、例えば、脆弱部５を自動溶解装置へ接続するとともに接続箇所を密閉し、この密閉状態のままでも脆弱部５を開放することができる。この密閉状態を維持しながら透析用剤の排出を行なえば、透析用剤収納容器１と自動溶解装置との接続箇所からの異物混入や透析用剤の発塵を抑えることができる。
【００２１】
すべての透析用剤が落下して空になると、フック８に支持された空の透析用剤収納容器１が取外し位置に搬送される。そして、透析用剤収納容器１が取外し位置に停止したならば、左右両側のフック８を上下逆転する（図５参照）。すると、係合孔４がフック８から外れて、透析用剤容器が落下し、取外し位置の下方の回収箱に回収される。このように、係合孔４にフック８を掛けて透析用剤収納容器１を支持し、この状態で搬送することができる。また、透析用剤を排出した後に空袋をフック８と共に上下逆にするだけで落下させることができ、透析用剤収納容器１の搬送から空袋の回収までの自動化を容易に実現することができる。さらに、使用済みとなった透析用剤収納容器１を潰して扁平にすることができる。したがって、空になった使用済みの透析用剤収納容器１は容易に減容でき、廃棄処理の容易化を図ることができる。
【００２２】
なお、前記した実施形態において、支持部３は、係合孔４を開設して構成されたが、本発明はこれに限定されるものではなく、透析用剤収納容器１を自動溶解装置に支持でき、しかも容易に着脱可能な支持部３であればどのようなものでもよい。
【００２３】
また、前記実施形態では、保護部材６は、脆弱部５を含む袋体２の下面のみを被覆する大きさで形成されたが、本発明はこれに限定されない。例えば、保護部材を袋体２の胴回りよりも長めの短冊状に形成し、この保護部材を袋体２の全周に亘って再剥離可能な状態で巻きつけて、脆弱部５を保護してもよい。
【００２４】
さらに、防塵カバー１１は、上記した断面倒コ字状のものに限定されない。例えば、図６に示すように、袋体２の表面に倣う曲面を内側に形成した半円筒状の防塵カバー１４であって、浅いＶ字状に屈曲し、上部には押圧部材１２が挿通可能な挿通開口１５を開設したものでもよい。要は、透析用剤収納容器１の脆弱部５の幅方向の前方、後方および上方を覆い、透析用剤収納容器１の開封時に透析用剤が溶解槽９の外へ舞い散ることを防ぐ防塵カバーであればどのようなものでもよい。
【００２５】
ところで、上記実施形態では、袋体２を合成樹脂シート材を筒状に形成して構成し、袋体２の左右両側に別部材の支持部３を取り付けたが、本発明はこれに限定されない。例えば、図７に示す第２実施形態の透析用剤収納容器２１は、矩形状の合成樹脂シート材（フィルム材）の両端を溶着（あるいは融着）して接合することで横長な筒を形成し、さらに筒の開口端を溶着（あるいは融着）により閉塞して袋体２２を構成している。また、筒状を呈する袋体２２の胴部分に形成された接合部２３を起立した状態で上部に配置し、該接合部２３の左右両側端部（図７では左側端部）に自動溶解装置のフック８を挿通する係合孔２４を開設している。そして、袋体２２の左右両側（図７では左側）の隅部２５において、上下に重合したシート材同士を斜めに（具体的には、袋体２２の端部の中央から袋体２２の側部へ向けて斜めに）溶着あるいは融着し、隅部２５まで透析用剤が入り込まないように構成されている。したがって、透析用剤収納容器２１から自動溶解装置へ透析用剤を投入した後に透析用剤が袋体２２内の隅部２５に残ってしまう不具合を防ぐことができる。
【図面の簡単な説明】
【００２６】
【図１】透析用剤収納容器の正面図である。
【図２】透析用剤収納容器の底面図である。
【図３】透析用剤収納容器を自動溶解装置のフックに支持した状態図である。
【図４】透析用剤収納容器をＶ字状に曲げて脆弱部を開口した状態図である。
【図５】フックから透析用剤収納容器を外す状態図である。
【図６】半円筒状の防塵カバーで透析用剤収納容器を覆った状態図である。
【図７】第２実施形態の透析用剤収納容器の左側部分の斜視図である。
【符号の説明】
【００２７】
１  透析用剤収納容器
２  袋体
３  支持部
４  係合孔
５  脆弱部
６  保護部材
８  フック
９  溶解槽
１０  投入口
１１  防塵カバー
１２  押圧部材
１３  挿通開口
１４  防塵カバー
１５  挿通開口
２１  透析用剤収納容器
２２  袋体
２３  接合部
２４  係合孔
２５  隅部
【図１】
2006198294.tif 000003
【図２】
2006198294.tif 000004
【図３】
2006198294.tif 000005
【図４】
2006198294.tif 000006
【図５】
2006198294.tif 000007
【図６】
2006198294.tif 000008
【図７】
2006198294.tif 000009